【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
無線送信受信ユニット（ＷＴＲＵ）において実施される方法であって、
第１のサービングサイトの第１のセルグループと関連付けられる第１のデータパスを介して交換される送信のために第１の物理レイヤ構成を用いることであって、前記第１の物理レイヤ構成は第１の無線アクセス技術のために構成されたものである、ことと、
第２のサービングサイトの第２のセルグループと関連付けられる第２のデータパスを介して交換される送信のために第２の物理レイヤ構成を用いることであって、前記第２の物理レイヤ構成は第２の無線アクセス技術のために構成されたものである、ことと、
前記第１のセルグループの少なくとも１つのセルへ前記第１のデータパスを介して送信される第１の送信と前記第２のセルグループの少なくとも１つのセルへ前記第２のデータパスを介して送信される第２の送信との間で優先度の規則に基づいて送信電力の少なくとも一部を割り当てることであって、
前記第１の送信と前記第２の送信は少なくとも時間的に部分的に重なり、
前記優先度の規則のうちの第１の規則は、アップリンク制御情報（ＵＣＩ）を含む送信を、ＵＣＩを含まない送信よりも優先することを含み、
前記優先度の規則のうちの第２の規則は、ＵＣＩの第１のタイプを含む送信を、ＵＣＩの第２のタイプを含む送信よりも優先することを含み、
前記優先度の規則のうちの第３の規則は、主セルグループに対応するセルと関連付けられた送信を、副セルグループに対応するセルと関連付け有れた送信よりも優先することを含む、
ことと、
を備える、方法。
【請求項２】
前記送信電力の少なくとも一部を割り当てることに関連して、前記優先度の規則の少なくとも１つに従って、前記第１の送信は前記第２の送信よりも優先される、請求項１に記載の方法。
【請求項３】
前記第１の送信はＵＣＩを含み、前記第２の送信はＵＣＩを含まない、または、
前記第１の送信はＵＣＩの前記第１のタイプを含み、前記第２の送信はＵＣＩの前記第２のタイプを含む、または、
前記第１の送信および前記第２の送信はＵＣＩの同じタイプを含み、前記第１のセルグループは前記主セルグループに対応し、前記第２のセルグループは前記副セルグループに対応する、請求項１または２に記載の方法。
【請求項４】
前記送信電力の少なくとも一部を割り当てることは、前記優先度の規則、ならびに前記第１のセルグループおよび前記第２のセルグループの１つまたは複数へ送信するための最大送信電力に基づいて、前記第１の送信と前記第２の送信との間で送信電力の少なくとも一部を割り当てることを含む、請求項１から３のいずれか１項に記載の方法。
【請求項５】
前記優先度の規則に基づいて、前記第１の送信のために割り当てた電力および前記第２の送信のために割り当てた電力の1つまたは複数を増減することをさらに備える、請求項１から４のいずれか１項に記載の方法。
【請求項６】
第１のサービングサイトの第１のセルグループと関連付けられる第１のデータパスを介して交換される送信のために第１の物理レイヤ構成を用い、前記第１の物理レイヤ構成は第１の無線アクセス技術のために構成されたものであり、
第２のサービングサイトの第２のセルグループと関連付けられる第２のデータパスを介して交換される送信のために第２の物理レイヤ構成を用い、前記第２の物理レイヤ構成は第２の無線アクセス技術のために構成されたものであり、
前記第１のセルグループの少なくとも１つのセルへ前記第１のデータパスを介して送信される第１の送信と前記第２のセルグループの少なくとも１つのセルへ前記第２のデータパスを介して送信される第２の送信との間で優先度の規則に基づいて送信電力の少なくとも一部を割り当て、
前記第１の送信と前記第２の送信は少なくとも時間的に部分的に重なり、
前記優先度の規則のうちの第１の規則は、アップリンク制御情報（ＵＣＩ）を含む送信を、ＵＣＩを含まない送信よりも優先することを含み、
前記優先度の規則のうちの第２の規則は、ＵＣＩの第１のタイプを含む送信を、ＵＣＩの第２のタイプを含む送信よりも優先することを含み、
前記優先度の規則のうちの第３の規則は、主セルグループに対応するセルと関連付けられた送信を、副セルグループに対応するセルと関連付け有れた送信よりも優先することを含む、
ように構成された送信機、受信機、プロセッサ、およびメモリを含む回路を備えた無線送信受信ユニット（ＷＴＲＵ）。
【請求項７】
前記送信電力の少なくとも一部を割り当てることに関連して、前記優先度の規則の少なくとも１つに従って、前記第１の送信は前記第２の送信よりも優先される、請求項６に記載のＷＴＲＵ。
【請求項８】
前記第１の送信はＵＣＩを含み、前記第２の送信はＵＣＩを含まない、または、
前記第１の送信はＵＣＩの前記第１のタイプを含み、前記第２の送信はＵＣＩの前記第２のタイプを含む、または、
前記第１の送信および前記第２の送信はＵＣＩの同じタイプを含み、前記第１のセルグループは前記主セルグループに対応し、前記第２のセルグループは前記副セルグループに対応する、請求項６または７に記載のＷＴＲＵ。
【請求項９】
前記回路は、前記優先度の規則、ならびに前記第１のセルグループおよび前記第２のセルグループの１つまたは複数へ送信するための最大送信電力に基づいて、前記第１の送信と前記第２の送信との間で送信電力の少なくとも一部を割り当てるように構成されている、請求項６から８のいずれか１項に記載のＷＴＲＵ。
【請求項１０】
前記回路は、前記優先度の規則に基づいて、前記第１の送信のために割り当てた電力および前記第２の送信のために割り当てた電力の1つまたは複数を増減するように構成されている、請求項６から９のいずれか１項に記載のＷＴＲＵ。
【請求項１１】
無線送受信ユニット（ＷＴＲＵ）により実施される方法であって、
第１のサービングサイトの第１のセルグループと関連付けられる第１のデータパスを介して交換される送信のために第１の物理レイヤ構成を用いることであって、前記第１のセルグループは、主セルおよび０以上の副セルを含み、および第１の無線アクセス技術を用い、前記第１の物理レイヤ構成は、前記第１のセルグループの少なくとも前記主セルと交換される前記送信の周波数分割複信（ＦＤＤ）のために構成されている、ことと、
第２のサービングサイトの第２のセルグループと関連付けられる第２のデータパスを介して交換される送信のために第２の物理レイヤ構成を用いることであって、前記第２のセルグループは、主セルおよび０以上の副セルを含み、および第２の無線アクセス技術を用い、前記第２の物理レイヤ構成は、前記主セルおよび前記０以上の副セルの少なくとも１つと交換される前記送信の時分割複信（ＴＤＤ）のために構成されている、ことと、
前記第１のセルグループの前記主セルへ前記第１のデータパスを介して送信される第１の送信のための第１の送信電力、ならびに前記主セルおよび前記０以上の副セルの前記少なくとも１つに前記第２のデータパスを介して送信される第２の送信のための第２の送信電力を割り当てることであって、
前記第１の送信と前記第２の送信とは少なくとも時間的に部分的に重なり、
前記第１の送信電力および前記第２の送信電力の少なくとも１つの少なくとも一部分は、（ｉ）前記第１の送信および前記第２の送信が同一の周波数範囲内のキャリアで送信されるまたは前記第１の送信および前記第２の送信が異なる周波数範囲内のキャリアで送信されるかどうかと、（ｉｉ）前記第１の送信電力および前記第２の送信電力をそれぞれ制約するための第１の独立の最大送信電力および第２の独立の最大送信電力と、に基づいて割り当てられる、ことと、
前記第１の送信および前記第２の送信をそれぞれ第１のＵｕインターフェースおよび第２のＵｕインターフェースを介して送信することと
を備える、方法。
【請求項１２】
前記第１の独立の最大送信電力および前記第２の独立の最大送信電力はそれぞれ第１の帯域および第２の帯域に固有である、請求項１１に記載の方法。
【請求項１３】
前記第１の送信電力および前記第２の送信電力の合計が総最大送信電力を超える場合、前記第１の送信電力および前記第２の送信電力の少なくとも１つの少なくとも一部は、増減する規則にさらに基づいて割り当てられる、請求項１１または１２に記載の方法。
【請求項１４】
前記第１の送信および前記第２の送信と関連付けられた電力ヘッドルーム情報を含む第３の送信を、前記第１のデータパスおよび前記第２のデータパスのうちの１つを介して送信することをさらに備える、請求項１１から１３のいずれか一項に記載の方法。
【請求項１５】
前記第１のデータパスおよび前記第２のデータパスと関連付けられた１つまたは複数のベアラについてのサービス品質（ＱｏＳ）状態情報を含む１つまたは複数の送信を、前記第１のデータパスおよび前記第２のデータパスのうちのいずれかを介して送信することをさらに備える、請求項１１から１４のいずれか一項に記載の方法。
【請求項１６】
第１のサービングサイトの第１のセルグループと関連付けられる第１のデータパスを介して交換される送信のために第１の物理レイヤ構成を用い、前記第１のセルグループは、主セルおよび０以上の副セルを含み、および第１の無線アクセス技術を用い、前記第１の物理レイヤ構成は、前記第１のセルグループの少なくとも前記主セルと交換される前記送信の周波数分割複信（ＦＤＤ）のために構成されており、
第２のサービングサイトの第２のセルグループと関連付けられる第２のデータパスを介して交換される送信のために第２の物理レイヤ構成を用い、前記第２のセルグループは、主セルおよび０以上の副セルを含み、および第２の無線アクセス技術を用い、前記第２の物理レイヤ構成は、前記主セルおよび前記０以上の副セルの少なくとも１つと交換される前記送信の時分割複信（ＴＤＤ）のために構成されており、
前記第１のセルグループの前記主セルへ前記第１のデータパスを介して送信される第１の送信のための第１の送信電力、ならびに前記主セルおよび前記０以上の副セルの前記少なくとも１つに前記第２のデータパスを介して送信される第２の送信のための第２の送信電力を割り当て、
前記第１の送信と前記第２の送信とは少なくとも時間的に部分的に重なり、
前記第１の送信電力および前記第２の送信電力の少なくとも１つの少なくとも一部分は、（ｉ）前記第１の送信および前記第２の送信が同一の周波数範囲内のキャリアで送信されるまたは前記第１の送信および前記第２の送信が異なる周波数範囲内のキャリアで送信されるかどうかと、（ｉｉ）前記第１のデータパスおよび前記第２のデータパスを介してそれぞれ前記第１のセルグループおよび前記第２のセルグループへ送信される送信に関連した１つまたは複数の優先度の規則と、に基づいて割り当てられ、
前記第１の送信および前記第２の送信をそれぞれ第１のＵｕインターフェースおよび第２のＵｕインターフェースを介して送信する
ように構成された送信機、受信機、プロセッサ、およびメモリを含む回路を備えた無線送信受信ユニット（ＷＴＲＵ）。
【請求項１７】
第１の独立の最大送信電力および第２の独立の最大送信電力はそれぞれ第１の帯域および第２の帯域に固有である、請求項１６に記載のＷＴＲＵ。
【請求項１８】
前記第１の送信電力および前記第２の送信電力の合計が総最大送信電力を超える場合、前記第１の送信電力および前記第２の送信電力の少なくとも１つの少なくとも一部は、増減する規則にさらに基づいて割り当てられる、請求項１６または１７に記載のＷＴＲＵ。
【請求項１９】
前記回路は、前記第１の送信および前記第２の送信と関連付けられた電力ヘッドルーム情報を含む第３の送信を、前記第１のデータパスおよび前記第２のデータパスのうちの１つを介して送信するように構成されている、請求項１６から１８のいずれか一項に記載のＷＴＲＵ。
【請求項２０】
前記回路は、前記第１のデータパスおよび前記第２のデータパスと関連付けられた１つまたは複数のベアラについてのサービス品質（ＱｏＳ）状態情報を含む１つまたは複数の送信を、前記第１のデータパスおよび前記第２のデータパスのうちのいずれかを介して送信するように構成されている、請求項１６から１９のいずれか一項に記載のＷＴＲＵ。